(57)【特許請求の範囲】
【請求項１】
光回線端末（ＯＬＴ）及び複数の光終端装置（ＯＮＵ）を有するイーサネット受動型光加入者網（ＥＰＯＮ）において、前記光回線端末（ＯＬＴ）が前記複数の光終端装置（ＯＮＵ）から受信されるバーストデータを処理するための方法であって、
前記複数の光終端装置（ＯＮＵ）からバーストデータを受信するステップと、
光回線端末（ＯＬＴ）のマルチポイント制御プロトコル（ＭＰＣＰ）を用いて、バーストデータが光回線端末（ＯＬＴ）によって受信される時間であるバーストデータ受信時間を得て、前記光回線端末（ＯＬＴ）にて受信される前記バーストデータの同期時間を減らすための、バーストデータのない区間を示すマルチポイント制御プロトコルロス（ＭＰＣＰ  ＬＯＳ）信号を生成するステップであって、該同期時間は、該光回線端末（ＯＬＴ）が光回線端末（ＯＬＴ）にて受信されるバーストデータの信号からデータを復旧する間の時間であり、該ＭＰＣＰ  ＬＯＳ信号は、前記得られたバーストデータ受信時間にしたがって生成される、ステップと、
前記マルチポイント制御プロトコルロス（ＭＰＣＰ  ＬＯＳ）信号の生成にしたがって前記同期時間を減らすステップと、
前記マルチポイント制御プロトコルロス（ＭＰＣＰ  ＬＯＳ）信号が発生しない区間においてコードグループを整列して前記受信されたバーストデータを復旧するステップと、
前記光回線端末（ＯＬＴ）の光モジュールのレベル復旧時間を減らすためのマルチポイント制御プロトコルリセット（ＭＰＣＰ  ＲＥＳＥＴ）信号を生成して前記光モジュールに提供するステップと
を備え、
前記ＭＰＣＰ  ＬＯＳ信号は、光終端装置（ＯＮＵ）のレーザーオン／オフ時間及び前記光回線端末（ＯＬＴ）のレベル復旧時間を考慮して遅延やＬＯＳ区間を増やすことができる拡張された領域を備えることを特徴とするイーサネット受動型光加入者網におけるバーストデータ受信処理方法。
【請求項２】
前記マルチポイント制御プロトコルロス（ＭＰＣＰ  ＬＯＳ）信号を生成するステップは、
前記複数の光終端装置（ＯＮＵ）と予め設定されたバーストデータの送信時間を確認するステップと、
前記バーストデータ受信の際、前記バーストデータ信号間のギャップ及び次のバーストデータの開始点を確認するステップであって、該バーストデータは前記光回線端末（ＯＬＴ）によって受信されるバーストデータである、ステップと、
前記確認されたギャップ及び開始点を利用して前記マルチポイント制御プロトコルロス（ＭＰＣＰ  ＬＯＳ）信号を生成するステップと
をさらに備えることを特徴とする請求項１に記載のイーサネット受動型光加入者網におけるバーストデータ受信処理方法。
【請求項３】
新たな光終端装置（ＯＮＵ）の登録要請がある場合、前記新たな光終端装置（ＯＮＵ）からバーストデータを受信する異なる同期時間を利用して前記新たな光終端装置（ＯＮＵ）を登録するステップであって、前記新たな光終端装置（ＯＮＵ）の異なる同期時間が、前記新たな光終端装置（ＯＮＵ）から受信されるバーストデータの開始点が前記新たな光終端装置（ＯＮＵ）から得られるか否かにしたがって異なるように設定される、ステップをさらに含むことを特徴とする請求項１又は２に記載のイーサネット受動型光加入者網におけるバーストデータ受信処理方法。
【請求項４】
前記新たな光終端装置（ＯＮＵ）を登録するステップは、
前記マルチポイント制御プロトコル（ＭＰＣＰ）を介して、前記新たな光終端装置（ＯＮＵ）からの前記バーストデータの正確な開始点が得られない場合、第１同期信号を長く設定するステップと、
前記マルチポイント制御プロトコル（ＭＰＣＰ）を介して、前記新たな光終端装置（ＯＮＵ）からの前記バーストデータの正確な開始点が得られる場合、第１同期信号よりも第２同期信号を短く設定するステップと
を備えることを特徴とする請求項３に記載のイーサネット受動型光加入者網におけるバーストデータ受信処理方法。
【請求項５】
複数の光終端装置（ＯＮＵ）から互いに異なる光パワーレベルのバーストデータを受信して前記バーストデータの光信号を電気信号に変換する光モジュールと、
光回線端末（ＯＬＴ）のマルチポイント制御プロトコル（ＭＰＣＰ）を用いて、バーストデータが光回線端末（ＯＬＴ）によって受信される時間であるバーストデータ受信時間を得て、前記光終端装置（ＯＮＵ）から受信される前記バーストデータの同期時間を減らすための、バーストデータのない区間を示すマルチポイント制御プロトコルロス（ＭＰＣＰ  ＬＯＳ）信号を生成する接続制御部であって、該同期時間は、該光回線端末（ＯＬＴ）が受信されるバーストデータの信号からデータを復旧する間の時間であり、該ＭＰＣＰ  ＬＯＳ信号は、前記得られたバーストデータ受信時間にしたがって生成される、接続制御部と、
前記マルチポイント制御プロトコルロス（ＭＰＣＰ  ＬＯＳ）信号が発生する場合、同期時間を減らし、前記マルチポイント制御プロトコルロス（ＭＰＣＰ  ＬＯＳ）信号が発生しない区間においてコードグループを整列して、前記受信されたバーストデータを復旧するサーデス部と、
を備え、
前記接続制御部は、前記光モジュールのレベル復旧時間を減らすためのマルチポイント制御プロトコルリセット（ＭＰＣＰ  ＲＥＳＥＴ）信号を生成し、前記光モジュールに提供し、
前記ＭＰＣＰ  ＬＯＳ信号は、光終端装置（ＯＮＵ）のレーザーオン／オフ時間及び前記光回線端末（ＯＬＴ）のレベル復旧時間を考慮して遅延やＬＯＳ区間を増やすことができる拡張された領域を備えることを特徴とするイーサネット受動型光加入者網におけるバーストデータ受信処理装置。
【請求項６】
前記接続制御部は、前記複数の光終端装置（ＯＮＵ）と予め設定されたバーストデータ送信時間を確認することにより前記バーストデータ信号間のギャップ及び前記光終端装置（ＯＮＵ）から受信される次のバーストデータの開始点を利用して前記マルチポイント制御プロトコルロス（ＭＰＣＰ  ＬＯＳ）信号を生成することを特徴とする請求項５に記載のイーサネット受動型光加入者網におけるバーストデータ受信処理装置。
【請求項７】
前記接続制御部は、新たな光終端装置（ＯＮＵ）の登録要請がある場合、前記新たな光終端装置（ＯＮＵ）から受信されるバーストデータの開始点が得られるか否かにしたがって前記新たな光終端装置（ＯＮＵ）の同期時間を異なるように設定し、前記異なるように設定された同期時間を利用して前記新たな光終端装置（ＯＮＵ）を登録することを特徴とする、請求項５又は６に記載のイーサネット受動型光加入者網におけるバーストデータ受信処理処置。
【請求項８】
前記接続制御部は、前記マルチポイント制御プロトコル（ＭＰＣＰ）を介して、前記新たな光終端装置（ＯＮＵ）から受信される前記バーストデータの正確な開始点が得られない場合、第１同期信号を長く設定して交換し、前記バーストデータの正確な開始点が得られる場合、第２同期信号を第１同期信号よりも短く設定して交換することで前記新たな光終端装置（ＯＮＵ）を登録することを特徴とする請求項７に記載のイーサネット受動型光加入者網におけるバーストデータ受信処理装置。
【発明の詳細な説明】
【技術分野】
【０００１】
本発明は、イーサネット（登録商標）受動型光加入者網の光回線端末（ＯＬＴ）におけるデータ受信処理方法及び装置に関する。より詳細には、光回線端末におけるバーストモード受信性能を向上させるためのバーストデータ受信処理方法及び装置に関する。
【背景技術】
【０００２】
近年では無線通信を利用したインターネット使用者が急増することをうけて、使用者により早いインターネットサービスを提供するために超高速インターネット技術が発展している。こうした一般的な超高速インターネットサービスのための技術としては無線ＬＡＮ技術が代表的である。しかし、無線ＬＡＮは広域網使用者と縦断使用者と間の要求に大きな格差を与え、縦断使用者において帯域ボトルネック現象が発生する問題点がある。このような帯域ボトルネック現象を解決するために、最近では受動型光加入者網（ＰＯＮ：Passive Optical Network）が発展するようになった。このようなＰＯＮ技術は、ＡＴＭ−ＰＯＮ（ＡＰＯＮ）とイーサネットＰＯＮ（Ethernet  PON:ＥＰＯＮ）に分けることができる。ここで、ＥＰＯＮ技術は、一本の光ファイバだけでもインターネットやインターネットＴＶ、デジタルＴＶ、電話などの各種通信サービスを低廉な価格で利用することができるレベルの宅内光加入者網（ＦＴＴＨ：Fiber To The Home）に接続が可能な制御チップ技術である。
【０００３】
図１に示すように、ＥＰＯＮは、光ケーブル網を介して最終使用者に信号を伝達するシステムである。ＥＰＯＮの構造は、ＥＰＯＮがどの位置で終末処理されるかによって、ＦＴＴＣ、ＦＴＴＢまたはＦＴＴＨなどに区分される。
【０００４】
図１を参照すると、ＥＰＯＮは、通信事業者側、例えば、ＩＰ網、放送網（broadcasting network）、ＴＤＭ網などと連動する光回線端末（Optical Line Terminal：ＯＬＴ）１０と、光加入者網の加入者側の縦断に位置し、加入者端末３０、例えば、ＳＴＢ、ＰＣなどに連結される光ネットワークユニット（Optical Network Unit：ＯＮＵ）２０を備える。そして、ＥＰＯＮは、典型的に一つの光ファイバを使用して点対多重ツリー構造で加入者端まで適用する。このようなイーサネット受動型光ネットワークシステムで伝達される光信号は、光の方向が上向きか下向きかに応じて、受動型分配器（Optical star coupler/Splitter）４０によって分割され、いくつかの光ファイバに載せられ、結合され一つの光ファイバで伝達される。このような例として、ＥＰＯＮにおけるデータ伝送方法を、図２を参照して説明する。
【０００５】
ＥＰＯＮは、イーサネットフレームを伝送単位にデータを伝送し、上りリンク経路において各々のＯＮＵ２０は動的または固定的にタイムスロットに割り当てられデータを共通ＯＬＴ１０に伝送する。このような各ＯＮＵ２０から出力されるデータは、光スターカプラ４０において多重化されＯＬＴ１０に送信される。逆に、下りリンク経路ではＯＬＴ１０からデータストリーム（Downstream）を伝送すると光スターカプラ４０において逆多重化され、各々のＯＮＵ２０に伝送される。
【０００６】
ＯＬＴ１０は、上りチャネルを介してＯＮＵ２０からバースト方式で伝送したバーストデータを復旧する。ところが、このようなＥＰＯＮは、超高速インターネットサービスのための技術であるため、このようなバーストデータ復旧時間が遅延されることによりインターネット速度に相当な影響を与えることが考えられ、上りチャネルの帯域浪費をもたらすようになる。このような上りチャネルの帯域浪費の原因は、大きく分けるとＯＮＵからの送信データをＯＬＴにおいて復旧するのに必要な時間と、ＯＮＵのレーザーオン／オフ時間である。実際のデータ伝送を除いた、このような時間の和を境界（Guard）時間と呼ぶ。
【０００７】
そのため、ＯＬＴ１０においてバーストデータを受信する際、クロック及びデータの復旧時間を短縮する必要がある。しかし、従来のＥＰＯＮでは同期（ＳＹＮＣ）時間の割り当てに対することのみを考慮している。
【０００８】
また、一般的にＥＰＯＮシステムのＯＬＴの受信部ではイーサネットサーデスチップを使用するが、このようなイーサネットサーデスチップの種類および使用方法に応じて、約２００ｎｓｅｃから数ｕｓｅｃのＣＤＲ時間が必要とされる。ところが、ＣＤＲ時間は、ＯＬＴ光受信レベルの復旧時間を足して同期時間となるが、上記ＣＤＲの所要時間が長いと同期時間が長くなり、同期時間が長くなるとそれだけ上りリンクにおいて浪費帯域が大きく発生するようになり、分期数が増えるとそれだけ同期時間によるオーバーヘッドが大きくなる問題点が生じてしまう。
【発明の開示】
【発明が解決しようとする課題】
【０００９】
従って、本発明の目的はイーサネット受動型光加入者網（ＥＰＯＮ）の光回線端末（ＯＬＴ）において受信復旧時間（同期時間）を短縮し、上り帯域効率を高めるためのバーストデータ受信処理方法及び装置を提供することである。
【００１０】
本発明の他の目的は、光回線端末（ＯＬＴ）にマルチポイント制御プロトコル（ＭＰＣＰ：Multi-Point Control Protocol）で生成したロス信号（ＬＯＳ：Loss Of Signal）を適用するサーデスチップを備えて受信復旧時間（同期時間）を短縮しバーストデータを受信処理するための方法及び装置を提供することである。
【課題を解決するための手段】
【００１１】
本発明の目的を達成するためのイーサネット受動型光加入者網におけるバーストデータ受信処理方法は、光回線端末（ＯＬＴ）及び複数の光終端装置（ＯＮＵ）を有するイーサネット受動型光加入者網において、上記光回線端末（ＯＬＴ）が上記複数の光終端装置（ＯＮＵ）から受信されるバーストデータを処理するための方法であって、上記複数の光終端装置（ＯＮＵ）からバーストデータを受信する過程と、上記バーストデータの同期時間を減らすためのマルチポイント制御プロトコルロス信号を生成する過程と、上記マルチポイント制御プロトコルロス信号の発生により上記同期時間を短縮する過程と、上記マルチポイント制御プロトコルロス信号が発生しない区間においてコードグループを整列して上記受信されたバーストデータを復旧する過程を含むことを特徴とする。
【００１２】
本発明の目的を達成するためのイーサネット光加入者網におけるバーストデータ受信処理装置は、複数の光終端装置（ＯＮＵ）から互いに異なる光パワーレベルのバーストデータを受信しレベル復旧及び上記バーストデータの光信号を電気信号に変換する光モジュールと、上記バーストデータの同期時間を減らすためのマルチポイント制御プロトコルロス信号を生成して発生する接続制御部と、上記マルチポイント制御プロトコルロス信号が発生する場合同期時間を短縮し、上記マルチポイント制御プロトコルロス信号が発生しない区間においてコードグループを整列して上記受信されたバーストデータを復旧するサーデス部を含むことを特徴とする。
【発明の効果】
【００１３】
本発明は、ＯＬＴでＯＬＴＭＰＣＰを利用してＭＰＣＰＬＯＳ信号及びＭＰＣＰリセット信号を生成し、これをサーデスチップに適用することで実際の光信号のような早い動作特性で同期時間、即ち、受信復旧時間を減らすことができるので、上り帯域の効率及びバーストデータ受信性能を改善することができる効果がある。
【発明を実施するための最良の形態】
【００１４】
以下、本発明の好ましい実施形態を添付図面を参照して詳しく説明する。先ず、各図面の構成要素に参照符号を付すにあたって、同じ構成要素に限っては、たとえ他の図面上に表示されてもできるだけ同じ符号を有するようにしていることに留意すべきである。なお、本発明の説明にあたって、かかる公知機能、あるいは構成に対する具体的な説明が本発明の要旨を必要以上に不明瞭にさせると判断される場合はその詳細な説明を省略する。
【００１５】
本発明の実施形態では、イーサネット受動型光加入者網（ＥＰＯＮ）を適用して説明し、上記図２に示すような上りチャネルを介して光終端装置（ＯＮＵ）から伝送されるバーストデータを受信する光回線端末（ＯＬＴ）について説明し、さらに光回線端末（ＯＬＴ）においてサーデス（ＳｅｒＤｅｓ）チップを備え受信復旧時間を減らすべくＯＬＴ動作について説明する。ここで、ＯＬＴでバースト光信号から安定したデータを復旧するのにかかる時間は、光モジュールのレベル復旧時間とサーデスチップにおけるＣＤＲ（Clock＆Data Recovery）時間であって、これらを合わせた時間を同期時間と呼ぶ。ＣＤＲ時間は、一般的に数百ｎｓｅｃから数ｕｓｅｃが必要となるので、上り帯域効率を高めるためにはＣＤＲ時間を減らさなければならない。
【００１６】
先ず、図２に示すようなＥＰＯＮシステムの上り／下りデータ伝送について本発明の実施形態による説明の便宜のために簡単に説明する。
【００１７】
また、図２を参照すると、ＥＰＯＮシステムは、一つの光回線端末（ＯＬＴ）１０と、複数の光終端装置（ＯＮＵ）２０が受動型分配器４０を介して点対多重ツリー構造を有する。
【００１８】
ＯＬＴ１０は、複数のＯＮＵ２０に伝送する下りフレームをＩＥＥＥ８０２．３プロトコルによる可変長パケットで送信する。ここで、各フレームは、特定のＯＮＵ２０のみ処理でき、または全てのＯＮＵ２０が処理でき、ＯＮＵ２０の加入者に伝達される。
【００１９】
複数のＯＮＵ２０は、上りフレームをＴＤＭＡ方式を利用して隣接するＯＮＵ２０の間に互いに衝突が生じないようにＯＬＴ１０において決められた時間の間にのみ上りフレームを伝送する。そのため、複数のＯＮＵ２０は、データをバースト方式で伝送する。従って、ＯＬＴ１０では複数のＯＮＵ２０から伝送されるバーストデータを受信できなければならない。
【００２０】
このような上りデータ伝送の場合、帯域使用にあたり実際のデータ伝送時間の他に考慮すべき時間があるが、それはＯＮＵ２０のレーザーオン／オフ時間、ＯＬＴ１０光モジュールのレベル復旧時間及びＣＤＲ時間及びコードグループ（code group）整列時間などである。そのため、上り帯域使用性能を向上させるためにはこれらの時間を減らす必要がある。
【００２１】
本発明の一実施形態に従って、上記時間を考慮してＯＬＴにおいてバーストデータを受信するための装置及び方法について添付された図面を説明する。そして、説明の便宜のために標準規格によるバーストデータ受信装置を説明した後、本発明の一実施形態によるバーストデータ受信装置について説明する。
【００２２】
図３は、図１の光回線端末（ＯＬＴ）の内部構造を概略的に示すブロック図である。
【００２３】
図３を参照すると、ＯＬＴ１０は、光モジュールである受信部（ＯＬＴ  ＯＴＲｘ）１１と、サーデス部（ＳｅｒＤｅｓ（ＰＭＡ））１２と、接続制御部（ＯＬＴ  ＥＰＯＮ  ＭＡＣ）１３とをチップ形態で内部に備える。
【００２４】
ＯＬＴ１０の受信部１１は、各ＯＮＵ２０からバーストデータを受信すると、サーデス部１２にロス（ＬＯＳ）信号を発生する。ここで上記バースト受信の際バースト信号間にはギャップ（Ｇａｐ）が存在するようになり、光信号のない区間が発生する。
【００２５】
一般的にサーデス部１２は、上記光信号のない区間でもＰＬＬが正常な信号ではないものにロック（lock）を試みる。そのため、クロックが激しく搖れる現象が発生し、ＰＬＬのロックが外れ、次のＯＮＵバースト受信においてＰＬＬがロックになる時間が非常に長くなってしまうので、それだけＣＤＲ時間が長くなる。従って、サーデス部１２は、受信部１１で伝送した上記光モジュールのＬＯＳ信号を受信して上記時間を短縮する。すなわち、サーデス部１２は、光モジュールのＬＯＳ信号を受信するとＬＯＳである区間では受信部１１からの受信信号にロックをするのではなく、送信クロックであるＴＢＣにロックをして安定した受信クロックを発生し、以後にも早いＣＤＲロック特性を有する。
【００２６】
そしてサーデス部１２は、光モジュール受信部１１のＬＯＳ信号をＬＣＫ＿ＲＥＦまたはＳＹＮＣ＿ＥＮピンに受信する。ここで上記ＬＣＫ＿ＲＥＦは、アクティブロー（Active Low）信号であって、インアクティブ（inactive）の場合には受信ＰＬＬが正常に動作して受信部１１からのシリアルデータにロックがなされ、アクティブ（active）の場合には接続制御部１３からの送信クロック（ＴＢＣ）にロックがなされる。一方、ＳＹＮＣ＿ＥＮ（ＥＮ＿ＣＤＥＴ）は、イネーブルコンマディテクタ（Enable Comma Dectect）信号としてＬＯＳ信号のない区間においてコードグループ（code-group）整列を行うようにする信号である。
【００２７】
ところが、このような標準により、一般的にＯＬＴは、光モジュールのＬＯＳ信号が実際の光信号のような早い動作特性を有することができず、遅い回答特性を有しているためＥＰＯＮでのバーストデータ受信に適用し難い状況である。
【００２８】
従って、本発明の一実施形態ではＯＬＴのマルチポイント制御プロトコル（ＭＰＣＰ）においてＯＮＵからのバーストデータ受信時間が予め分かるため、これを利用して実際の受信光信号と同じＬＯＳ信号を生成するようにする。この際、生成されたＭＰＣＰＬＯＳ信号は、ＯＮＴ光モジュールのレーザーオン／オフ時間及びＯＬＴ光モジュールのレベル復旧時間などを考慮し遅延やＬＯＳ区間を増やすことが可能になるようにしなければならない。また、同じ原理としてＥＰＯＮＯＬＴ光モジュールにおいてリセット信号を要する場合、ＯＬＴＭＰＣＰリセット信号を生成してＯＬＴ光モジュールに伝送することでレベル復旧時間を減らすようにする。
【００２９】
図４は本発明の一実施形態による光回線端末（ＯＬＴ）の構造を示すブロック図である。
【００３０】
ここで本発明の一実施形態によるＯＬＴは、上記標準によるＯＬＴ１０と区分するために、参照番号を異にして図示したことに留意すべきである。
【００３１】
図４を参照すると、ＥＰＯＮのＯＬＴ１００は、光モジュールの受信部（ＯＬＴ  ＯＴＲｘ）１１０と、サーデス部（Serialization and Deserialization:ＳｅｒＤｅｓ）１２０と、接続制御部（ＯＬＴ  ＥＰＯＮ  ＭＡＣ）１３０とをチップ形態で内部に備える。
【００３２】
ＥＰＯＮは、上りチャネルに対する時分割多元接続（ＴＤＭＡ）方式を提供し、ＯＮＵ２０がＯＬＴ１０にイーサネットフレームを送信する場合、複数のＯＮＵ２０が重なるように送信する可能性があるため、トラフィックの衝突が発生するようになる。このような衝突を回避するために、ＥＰＯＮは、ＭＰＣＰプロトコルを利用して時分割多元接続方式による上りチャネルを共有する方式を提供する。これにより、ＥＰＯＮのＯＬＴ１００は、接続制御部１３０にＯＬＴＭＰＣＰプロトコルを適用する。
【００３３】
光モジュールの受信部１１０は、各ＯＮＵ２０から互いに異なる光パワーレベルのバーストデータを受信してレベル復旧と受信光信号を電気信号に変換し、バーストデータが受信されると、サーデス部１２０に受信ビット（ｒｘ＿ｂｉｔ）信号を発生し、サーデス部１２０から送信ビット（ｔｘ＿ｂｉｔ）信号を受信する。
【００３４】
サーデス部１２０は、ＰＭＡ階層のチップであって、データとクロック復旧を行い、さらにコードグループの整列を行う。そして、サーデス部１２０は、受信部１１０から受信ビット（ｒｘ＿ｂｉｔ）信号を受信し、接続制御部１３０から送信クロック（ｔｘ＿ｃｌｋ、ＴＢＣ）が発生すると、受信部１１０に送信ビット（ｔｘ＿ｂｉｔ）信号を伝送する。さらに、サーデス部１２０は、接続制御部１３０からＭＰＣＰＬＯＳ信号を受信する。この際、ＭＰＣＰＬＯＳ信号は、図３の光モジュールのＬＯＳ信号のように、ＬＣＫ＿ＲＥＦまたはＳＹＮＣ＿ＥＮピンに入力される。
【００３５】
サーデス部１２０は、ＭＰＣＰＬＯＳ信号を発生する場合、ＬＣＫ＿ＲＥＦピンに信号を入力し、上述したようにインアクティブ（inactive）の場合には受信ＰＬＬが正常に動作して受信部１１からのシリアルデータにロックがなされ、アクティブ（active）の場合には接続制御部１３からの送信クロック（ＴＢＣ）にロックがなされる。
【００３６】
一方、サーデス部１２０は、ＭＰＣＰＬＯＳ信号が発生しない場合、ＳＹＮＣ＿ＥＮ（ＥＮ＿ＣＤＥＴ）に信号を入力しＬＯＳ信号のない区間においてコードグループ（code-group）の整列をする。
【００３７】
接続制御部１３０は、ＭＰＣＰＬＯＳ信号を生成してＣＤＲロック時間を短縮することが可能になるように生成されたＭＰＣＰＬＯＳ信号をサーデス部１２０に伝送する。
【００３８】
そして、接続制御部１３０は、媒体アクセス制御（Media Access Control：ＭＡＣ）階層において制御のためのプロトコルであるＯＬＴＭＰＣＰを利用するが、上記ＯＬＴＭＰＣＰを介して各ＯＮＵ２０からのバーストデータを受信する際にバーストデータと受信データ間のギャップ（Ｇａｐ）が分かるばかりでなく次のバーストの開始点も分かる。これはＯＮＵ２０が上記ＯＬＴＭＰＣＰから決められた時間にのみＯＬＴにバーストデータを送信できるように設定されているためである。これにより接続制御部１３０は、ＯＬＴＭＰＣＰを利用してＯＬＴＭＰＣＰＬＯＳ信号を生成することができる。
【００３９】
また、接続制御部１３０は、光モジュールの受信部１１０においてリセット信号を必要とする場合、ＭＰＣＰリセット（ＲＥＳＥＴ）信号を生成して受信部１１０に生成されたＭＰＣＰリセット信号を伝送する。これにより受信部１１０は、ＭＰＣＰリセット信号を受信してバーストレベルの復旧時間を減らすのに使用する。
【００４０】
このようなＯＬＴ１００において光モジュールのＬＯＳ信号の代わりにＭＰＣＰＬＯＳ信号を生成して適用することによりＣＤＲロック時間を短縮することができ、受信クロックが激しくずれることを防止してＯＬＴのバースト受信性能を改善することが可能である。このような性能改善の効果は、図５に示されたタイミング図より明確に確認することができる。
【００４１】
図５に示すように、光モジュールの受信部１１０でバーストデータを受信することにより受信クロック（ＯＬＴ  Ｏｐｔｉｃａｌ  Ｒｘ）信号が生成される。この際、標準によるＯＬＴ１０は、光モジュールロス（ＯＴＲｘ  ＬＯＳ）信号を発生するが、ＯＬＴ１０は、受信クロック信号の第１のクロック（ＯＮＵ  ｉ）が発生した後にギャップが始まり、その後遅延（delay）が発生するようになり、第２のクロック（ＯＮＵ  ｉ＋１）が発生した後になって、光モジュールのＬＯＳ信号が発生される。
【００４２】
一方、図５に示すように、本発明の一実施形態による接続制御部１３０で生成されたＭＰＣＰＬＯＳは、受信クロック信号の第１のクロック（ＯＮＵ  ｉ）が発生した後、ギャップが始まった時点にギャップ時間と同じ信号で発生され、ＯＬＴ１００はＭＰＣＰＬＯＳ信号に拡張された領域（extention）を置くことで、ＯＮＴ光モジュールのレーザーオン／オフ時間及びＯＬＴ光モジュールのレベル復旧時間などを考慮して遅延やＬＯＳ区間を増やすことができる。また、ＭＰＣＰリセット（ＲＥＳＥＴ）信号もＭＰＣＰＬＯＳと同じ時点に発生する。
【００４３】
一方、ＥＰＯＮの標準によると、新たなＯＮＴ２０の登録でＯＬＴ１０の同期（ＳＹＮＣ）時間情報を交換するようになり、ディスカバリー過程（以下、登録過程と呼ぶ）の際、同期時間が設定されると登録された後でも続いて同じ値を使用するように設定されている。このような同期時間を上述したようなＯＬＴ１００に適用して減らすことができるが、登録の際には同期時間が不足してＯＮＵ２０からのバーストデータ受信時にエラーが発生して登録がうまく行われない場合が発生する可能性がある。
【００４４】
また、上述したような本発明の一実施形態によるＭＰＣＰＬＯＳまたはＭＰＣＰリセットを適用するためには、ＯＮＵからの正確なバースト開始点が分からなければならないが、これは予め登録されたＯＮＵである場合に可能であるため、新たなＯＮＵ登録要請がある場合にはＭＰＣＰＬＯＳまたはＭＰＣＰリセットを適用して同期時間を短く運用することができないことがあり得る。従って、本発明の一実施形態によるＥＰＯＮシステムではＯＬＴとＯＮＵ間の登録過程の際に同期時間に対して新たに設定しなければならない。
【００４５】
さらに、本発明の一実施形態では、新たなＯＮＵが登録された場合でもＭＰＣＰＬＯＳまたはＭＰＣＰリセットを適用して同期時間を短く運用することができる登録過程について添付図面を参照して説明する。
【００４６】
図６は、本発明の一実施形態に従ってイーサネット受動型光加入者網において同期時間を運用すべく登録過程を示す流れ図である。
【００４７】
図６を参照すると、符号１１０の段階においてＯＬＴ１０は、ゲート（ＧＡＴＥ）メッセージをＯＮＵ２０に伝送する。ここで、ゲートメッセージは、ＤＡ、ＳＡ、Ｇｒａｎｔ、Ｓｙｎｃ＿Ｔｉｍｅ１情報を含む。そうすると、ＯＮＵ２０は、グラント開始点からランダム遅延（Random delay）時間が発生するようになり、ランダム遅延時間が過ぎた後になって回答をするようになる。これによりＯＬＴ１００の接続制御部１３０では何時ＯＮＵ２０からバーストデータを受信するようになるか分からないため、ＯＬＴ１００は、ゲートメッセージに含まれる第１同期時間（Ｓｙｎｃ＿Ｔｉｍｅ１）を以後に伝送される登録メッセージの第２同期時間（Ｓｙｎｃ＿Ｔｉｍｅ２）と異なるようにする。すなわち、最初は登録過程の際に使用する第１同期時間を長く設定し、その後は登録完了した後伝送に使用する第２同期時間を短く設定して交換する。
【００４８】
ランダム遅延時間後、符号１２０の段階においてＯＬＴ１０は、ＯＮＵ２０から登録要請（ＲＥＧＩＳＴＥＲ＿ＲＥＱ）メッセージを受信する。ここで、登録要請メッセージは、ＤＡ、ＳＡ、Ｇｒａｎｔ、Ｓｙｎｃ＿Ｔｉｍｅ情報を含む。
【００４９】
その後、符号１３０の段階においてＯＬＴ１０は、登録（ＲＥＧＩＳＴＥＲ）メッセージをＯＮＵ２０に伝送する。ここで、登録メッセージは、ＤＡ、ＳＡ、ＬＬＩＤ、Ｓｙｎｃ＿Ｔｉｍｅ２、ｅｃｈｏ  ｏｆ  ｐｅｎｄｉｎｇ  ｇｒａｎｔｓ情報を含む。そうすると、ＯＮＵ２０は、受信された登録メッセージに含まれた情報を設定及び保存する。
【００５０】
その後、符号１４０の段階において、ＯＬＴ１０は、ＯＮＵ２０にゲートメッセージを伝送する。この際、伝送されるゲートメッセージにはＤＡ、ＳＡ、ＬＬＩＤ、Ｇｒａｎｔ情報が含まれる。そうすると、ＯＬＴ２０は、登録メッセージに対する回答として登録回答（ＲＥＧＩＳＴＥＲ＿ＡＣＫ）メッセージを伝送する。これにより符号１５０の段階において、ＯＬＴ１００は、ＯＮＵ２０で伝送する登録応答メッセージを受信する。ここで登録応答メッセージはＤＡ、ＳＡ、ｅｃｈｏ  ｏｆ  ＬＬＩＤ、ｅｃｈｏ  ｏｆ  Ｓｙｎｃ＿Ｔｉｍｅ情報を含む。
【００５１】
このように、新たな光終端装置の登録要請がある場合、上記新たな光終端装置がチップ制御部（ＯＬＴ  ＭＰＣＰ）において設定した一定区間内の時間にバーストデータを送信するので、チップ制御部では登録固定初期にＭＰＣＰを利用して正確なバースト開始点が分からないためバーストデータの受信に必要な同期時間が長くなければならない。そのため、第１に交換される同期時間は十分長く設定し、その後ＯＮＵからのバーストデータの開始点を正確に分かる時点からは同期時間を小さくすることで、第１に交換される同期時間と第２に交換される同期時間を異なるように設定して交換することで登録過程を行う。
【００５２】
上述したような本発明の一実施形態に従って、本発明は、従来の光モジュールのＬＯＳ信号のように遅い回答特性を有する信号の代わりにＯＮＵからバーストデータ受信時間が予め分かる実際の受信光信号と同じＯＬＴＭＰＣＰを利用して、ＯＬＴの接続制御部においてＭＰＣＰＬＯＳ信号及びＭＰＣＰリセット信号を生成し、これをサーデスチップに適用することにより実際の光信号のような早い動作特性で同期時間、すなわち、受信復旧時間を減らすことが可能である。
【００５３】
また、本発明は登録過程の際に最初に使用する同期時間と後で取り交わす同期時間を異なるように設定しＯＬＴとＯＮＵの間に同期時間情報を交換することによって、同期時間を短縮するとともにＭＰＣＰＬＯＳを使用するＯＬＴで発生される同期時間の不足も解決することが可能である。
【００５４】
一方、本発明の詳細な説明では具体的な実施形態に関して説明したが、本発明の範囲から外れない限度内において様々な変形が可能であることは勿論である。従って、本発明の範囲は説明された実施形態に限って定められてはならず、上述した発明請求の範囲のみならず、この発明請求の範囲と均等なものなどによって定められるべきである。
【図面の簡単な説明】
【００５５】
【図１】一般的なイーサネット受動型光加入者網の構造を示すブロック図である。
【図２】一般的なイーサネット受動型光加入者網においてデータ伝送方法を概略的に示すブロック図である。
【図３】図１における光回線端末（ＯＬＴ）の内部構造を概略的に示すブロック図である。
【図４】本発明の一実施形態による光回線端末（ＯＬＴ）の構造を示すブロック図である。
【図５】本発明の一実施形態により光回線端末（ＯＬＴ）で発生した信号を示すタイミング図である。
【図６】本発明の一実施形態によりイーサネット受動型光加入者網において同期時間を運用するためのディスカバリー過程を示す流れ図である。
【符号の説明】
【００５６】
１０  光回線端末（ＯＬＴ）
１１  受信部（ＯＬＴ  ＯＴＲｘ）
１２  サーデス部（ＳｅｒＤｅｓ）
１３  接続制御部（ＯＬＴ  ＥＰＯＮ  ＭＡＣ）
２０  光終端装置（ＯＮＵ）
３０  加入者端末（Ｕｓｅｒ）
【図１】
0004558703.tif 000002
【図２】
0004558703.tif 000003
【図３】
0004558703.tif 000004
【図４】
0004558703.tif 000005
【図５】
0004558703.tif 000006
【図６】
0004558703.tif 000007